(57)【要約】
　【課題】　麺類等の湯面に膜を作ってしまうものを茹でた際にも吹きこぼれず、また、容易に取り出すことができる吹きこぼれ防止器具を提供すること。
　【解決手段】　中空状に形成された立部１０１と、立部１０１の下端１０１ｂから外側に広がるように立部１０１と連続して形成され、外縁１０２ａが立部１０１の下端１０１ｂよりも下方にあり、その外縁１０２ａにおいて開口している裾部１０２と、を有し、立部１０１の上端１０１ａ側には、第一の貫通孔１０４が少なくとも一つ形成されており、裾部１０２には、第二の貫通孔１０５が少なくとも一つ形成されている吹きこぼれ防止器具１００を提供する。
　【選択図】図２
0003099539.tif 000002
【実用新案登録請求の範囲】
【請求項１】
　中空状に形成され、上端は閉じ、下端は開口された立部と、
　前記立部の下端から外側に広がるように前記立部と連続して形成され、外縁が前記下端よりも下方に位置し、前記外縁において開口されている裾部と、を有し、
　前記立部の前記上端側には、第一の貫通孔が少なくとも一つ形成されており、前記裾部には、第二の貫通孔が少なくとも一つ形成されている吹きこぼれ防止器具。
【請求項２】
　前記立部は、円錐形に形成されていることを特徴とする請求項１に記載の吹きこぼれ防止器具。
【請求項３】
　前記立部は、前記上端が天板部により閉じられた載頭円錐形に形成されていることを特徴とする請求項１に記載の吹きこぼれ防止器具。
【請求項４】
　前記天板部には、第三の貫通孔が少なくとも一つ形成されていることを特徴とする請求項３に記載の吹きこぼれ防止器具。
【請求項５】
　前記裾部は、横断面が円形に形成されていることを特徴とする請求項１乃至４の何れか一項に記載の吹きこぼれ防止器具。
【請求項６】
　前記第一の貫通孔は、前記立部の周方向において等間隔に複数形成されていることを特徴とする請求項１乃至５の何れか一項に記載の吹きこぼれ防止器具。
【請求項７】
　前記立部の外周には、前記下端と前記貫通孔との間に、水位の目印となる水位線を表示したことを特徴とする請求項１乃至６の何れか一項に記載の吹きこぼれ防止器具。
【考案の詳細な説明】
【技術分野】
【０００１】
　本考案は、吹きこぼれ防止器具に関する。
【背景技術】
【０００２】
　従来の吹きこぼれ防止器具としては、例えば、登録実用新案公報第３０１２１２７号公報に記載されたものがあった。
【０００３】
　図１１に表されているように、登録実用新案公報第３０１２１２７号公報に記載された煮物用吹きこぼれ防止器具５００は、円形に形成された金属製の板体５０１に多数の貫通孔５０２を形成することにより構成されていた。
【０００４】
　そして、このように構成されている煮物用吹きこぼれ防止器具５００を鍋などの底に沈めておくことにより、水が沸騰した際の気泡を貫通孔５０２で小さくし、吹きこぼれを防止することができるようにされていた。
【考案の開示】
【考案が解決しようとする課題】
【０００５】
　しかしながら、特に麺類を茹でる場合には、麺のでんぷん質が溶けて湯面に膜を作ってしまうため、気泡を小さくしても、この膜により気泡が消滅せずに、湯面に蓄積してしまい、この気泡が湯面を押し上げて吹きこぼれてしまうことがあった。
【０００６】
　また、鍋の底に煮物用吹きこぼれ防止器具５００を沈めてしまうと、この煮物用吹きこぼれ防止器具５００を容易に取り出すことができず、特に、調理中には取り出すことが困難で、不便であった。
【０００７】
　そこで、本考案は、麺類等の湯面に膜を作ってしまうものを茹でた際にも吹きこぼれず、また、容易に取り出すことができる吹きこぼれ防止器具を提供することを目的とする。
【課題を解決するための手段】
【０００８】
　以上の課題を解決するため、本考案は、中空状に形成され、上端は閉じ、下端は開口された立部と、前記立部の下端から外側に広がるように前記立部と連続して形成され、外縁が前記下端よりも下方に位置し、前記外縁において開口されている裾部と、を有し、前記立部の前記上端側には、第一の貫通孔が少なくとも一つ形成されており、前記裾部には、第二の貫通孔が少なくとも一つ形成されている吹きこぼれ防止器具を提供する。
【０００９】
　このように構成される吹きこぼれ防止器具を裾部が加工に位置するように、鍋の中におき、立部の上端側に設けられている第一の貫通孔が水面よりも上方になるように水を入れて沸騰させることにより、沸騰された湯が裾部と鍋の底に覆われた空間において加圧され、立部の内部に湯が押し出され、水面よりも上に位置している第一の貫通孔から湯が鍋の中に排出されるとともに、第二の貫通孔を介してから新たに湯が裾部と鍋の底に覆われた空間内に入ってくる。
【００１０】
　このとき、貫通孔から排出された湯が、麺類等を茹でた際に湯面に形成される膜を破り、気泡を消滅させるため、湯面に気泡が蓄積されて湯面が押し上げられることにより生じる吹きこぼれを防止することができる。
【００１１】
　また、本考案に係る吹きこぼれ防止器具においては、立部の上方が水面よりも上にでているため、この部分を用いて、この吹きこぼれ防止器具を取り出すことができる。
【００１２】
　ここで、鍋は、通常、横断面が円形になるように形成されているため、この吹きこぼれ防止器具における立部も、円錐形や円柱形に形成することが望ましく、また、裾部についても、横断面が円形になるように形成することが望ましい。
【００１３】
　なお、立部を円錐形に形成する場合には、上端を天板部により閉じた載頭円錐形に形成することもできる。
【００１４】
　また、立部を円柱形に形成する場合にも、上端は天板部により閉じる。
【００１５】
　ここで、これらの天板部には、第三の貫通孔を少なくとも一つ形成しておくことで、立部の内部空間において湯の圧力が大きくなりすぎて、第一の貫通孔から湯が勢いよく吹き出てしまうことを防止することができる。
【００１６】
　第一の貫通孔については、鍋に入れられる水よりも上方に位置する限りどのように形成しても良いが、例えば、立部の周方向に追い打て等間隔に複数形成することができる。
【００１７】
　また、第二の貫通孔についても、裾部と鍋の底に覆われた空間に湯を入れることができる限りどのように形成しても良いが、例えば、裾部の周方向において等間隔に複数形成することができる。
【００１８】
　立部の外周には、その下端と貫通孔との間に、水位の目印となる水位線を表示しておくことにより、鍋に入れる水の量が多すぎたり、少なすぎたりすることを防止することが可能である。
【００１９】
　さらに、天板部又は立部の上端側には、取っ手を設けておくことにより、この取っ手を用いてこの吹きこぼれ防止器具を鍋から容易に取り出すことが可能となる。
【考案の効果】
【００２０】
　以上のように、本考案においては、立部に設けられた貫通孔から湯を鍋の湯面に排出するため、麺類等の湯面に膜を作ってしまうものを茹でた際にも湯面に形成される膜を破るため、吹きこぼれを防止することができる。
【００２１】
　また、立部の上端が湯面から出ているため、この部分を使って、鍋等から容易に取り出すことができる。
【考案を実施するための最良の形態】
【００２２】
　図１は、本考案の第一の実施形態に係る吹きこぼれ防止器具１００の上方斜視図であり、図２は、吹きこぼれ防止器具１００の縦断面図である。
【００２３】
　吹きこぼれ防止器具１００は、立部１０１と、裾部１０２と、により構成されている。
【００２４】
　本実施形態における立部１０１は、１８−８ステンレス鋼により形成されており、立部１０１の上端１０１ａがこの立部１０１と一体的に形成された天板部１０３により閉じられた載頭円錐形に形成されている。
【００２５】
　なお、天板部１０３は、立部１０１と一体的に形成されていることから、立部１０１と同様に１８−８ステンレス鋼により形成されている。
【００２６】
　図２に表されているように、立部１０１は、中空状に形成されており、立部１０１の下端１０１ｂには、外側に向かって広がり、外縁１０２ａが下端１０１ｂよりも下方に位置する裾部１０２が立部１０１と連続して形成されている。
【００２７】
　裾部１０２の外縁１０２ａは開口しており、立部１０１の下端１０１ｂと裾部１０２の外縁１０２ａとの間に形成される空間は、立部１０１の内部空間と連通している。
【００２８】
　なお、裾部１０２についても立部１０１と一体的に形成されていることから、立部１０１と同様、１８−８ステンレス鋼により形成されている。
【００２９】
　また、裾部１０２は、立部１０１の下端１０１ｂから外縁１０２ａまでの距離が一定となるように形成されており、横断面が円形となるようにされている。
【００３０】
　立部１０１の上端１０１ａ側には、第一の貫通孔１０４が形成されている。
【００３１】
　ここで、この第一の貫通孔１０４については、立部１０１の内部に押し上げられた湯をこの立部１０１の外部に排出することができる範囲で、適時、その形状、配置及び数を変更することができるものであるが、本実施形態においては、円形の第一の貫通孔を立部１０１の周方向において等間隔に１８個形成している。
【００３２】
　また、裾部１０２には、第二の貫通孔１０５が形成されている。
【００３３】
　ここで、この第二の貫通孔は、裾部１０２と鍋１２０（図３参照）の底面１２１（図３参照）との間に挟まれた空間に湯を供給することができる範囲で、適時その形状、配置及び数を変更することができるものであるが、本実施形態においては、円形の第二の貫通孔を裾部１０２の周方向において等間隔に４個形成している。
【００３４】
　ここで、以上に記載した、立部１０１、裾部１０２、第一の貫通孔１０４及び第二の貫通孔１０５の寸法、配置については、図３（吹きこぼれ防止器具１００の使用例を表す上方斜視図）に表されているように、裾部１０２が下方に位置し、その外縁１０２ａが鍋１２０の底面１２１に接するようにこの吹きこぼれ防止器具１００を鍋１２０の中に入れ、水面の高さＨよりも貫通孔１０４が上方に位置するように水１２２を入れて沸騰させた際に、裾部１０２と鍋１２０の底面１２１との間に挟まれた空間において加圧された湯が、立部１０１の内部空間を上端１０１ａの方向に押し出され、第一の貫通孔１０４から立部１０１の外側に排出されるとともに、第二の貫通孔１０５を介して裾部１０２と鍋１２０の底面１２１との間に挟まれた空間内に湯が供給されるという機能を果たすことができる範囲で適時選択することができる設計事項である。
【００３５】
　この点、本実施形態においては、立部１０１の高さＡが９３ｍｍ、立部１０１の上端１０１ａの直径Ｂが４５ｍｍ、立部１０１の下端１０１ｂの直径Ｃが６０ｍｍ、裾部１０２の高さＤが１７ｍｍ、裾部１０２の外縁１０２ａの直径Ｅが１９５ｍｍ、上端１０１ａから第一の貫通孔１０４の中心までの距離Ｆが１２ｍｍ、第一の貫通孔１０４の直径Ｇが４ｍｍ、第二の貫通孔１０５の直径Ｉが７ｍｍ、裾部１０２の外縁１０２ａから第二の貫通孔１０５の中心までの距離Ｊ２５ｍｍ、吹きこぼれ防止器具１００を形成している１８−８ステンレス鋼の厚さＫが０．５ｍｍに形成されているが、これらに限定されるわけではなく、上述の機能を果たすことができる範囲で、これらの寸法、位置を変更することができる。
【００３６】
　なお、本実施形態においては、水面の高さＨを裾部１０２の外縁１０２ａから６０ｍｍ程度の高さとなるように水１２２を鍋１２０に入れて沸騰させるのが望ましい。
【００３７】
　以上のように、本実施形態に係る吹きこぼれ防止器具１００を構成したので、図３に表されているように、裾部１０２の外縁１０２ａが鍋１２０の底面１２１に接するように、吹きこぼれ防止器具１００を鍋１２０に入れ、水面の高さＨよりも貫通孔１０４の方が上方に位置するように水１２２を入れて沸騰させた際に、裾部１０２と鍋１２０の底面１２１との間に挟まれた空間において加圧された湯が立部１０１の内部空間を上端１０１ａの方向に押し出され、第一の貫通孔１０４から外側に排出されるため、この排出された湯により、湯面に形成される膜を破るため、麺類等を茹でる際に気泡が蓄積し吹きこぼれてしまうことがなくなる。
【００３８】
　また、立部１０１の上端１０１ａ側が水面から出ているため、この部分を使って、吹きこぼれ防止器具１００を鍋１２０から取り出すことができる。
【００３９】
　なお、本実施形態係る立部１０１において、図４（Ａ）に表した、ガイド部材１０６を設けることもできる。
【００４０】
　ガイド部材１０６は、図４（Ｂ）に表されているように、第一の貫通孔１０４の周縁部から立部１０１’外部に延びるように、かつ、中空状に形成されており、このガイド部材１０６の先端１０６ａに設けられている開口１０７が下方に向くようにすることで、第一の貫通孔１０４から吹き出す湯が、下方に向かうようになり、鍋の外にまで飛び出してしまうことを防止することができる。
【００４１】
　また、このようなガイド部材１０６の代わりに、図５（Ａ）に表したカバー１０８を設けることもできる。
【００４２】
　カバー１０８は、図５（Ｂ）に表されているように、第一の貫通孔１０４と立部１０１’’上端１０１ａ’’との間に、この立部１０１’’から外部に向かって延びるように形成されており、このカバー１０８の先端１０８ａは、第一の貫通孔１０４よりも下方に位置するようにすることで、第一の貫通孔１０４から吹き出す湯が、水平方向や上方に向かって飛び出した場合にも、このカバー１０８により下方に落とされるようになる。
【００４３】
　図６は、本考案の第二の実施形態に係る吹きこぼれ防止器具２００の上方斜視図であり、図７は、吹きこぼれ防止器具２００の縦断面図である。
【００４４】
　本実施形態に係る吹きこぼれ防止器具２００も、第一の実施形態と同様に、立部２０１と、裾部２０２と、により構成されており、立部２０１の上端２０１ａ側には、貫通孔１０４が形成されている。
【００４５】
　ここで、本実施形態においては、第一の実施形態と比べて、立部２０１に水位線２０９が形成されている点、天板部２０１ａに第三の貫通孔２１０が形成されている点並びに裾部２０２に設けられている第二の貫通孔２０５の配置及び数が異なっている点、において相異点を有しているため、以下これらの点についてのみ説明する。
【００４６】
　本実施形態における立部２０１には、その内側から外側に向かって凸となるような突起を周方向に設けることにより、鍋に入れる水の水位の目印となる水位線２０９を形成している。
【００４７】
　この水位線２０９を設ける位置については、裾部２０２と鍋１２０の底面１２１（図３参照）との間に挟まれた空間において加圧された湯が、立部２０１の内部空間を上端２０１ａの方向に押し出され、貫通孔１０４から立部２０１の外側に排出されるという機能を果たすことができる範囲で適時選択することができる設計事項であるが、本実施形態においては、裾部２０２の外縁２０２ａからの高さＬが６０ｍｍとなる位置に水位線２０９を設けている。
【００４８】
　また、本実施形態における天板部２０３には、第三の貫通孔２１０が設けられている。
【００４９】
　この第三の貫通孔２１０については、裾部２０２と鍋１２０の底面１２１（図３参照）との間に挟まれた空間において加圧される湯が、立部２０１の内部を上端２０１ａの方向に押し出された際に、立部２０１の内部空間の圧力が高くなりすぎて、立部２０１に設けられている第一の貫通孔１０４から勢いよく吹き出てしまい、鍋１２０（図３参照）の外にまで飛び出てしまうことを防止するために設けられているものであり、このような目的を達成することができる範囲で、寸法及び数を適時選択すればよい。
【００５０】
　ここで、本実施形態では、天板部２０３の中心に一つ、中心に配置された第三の貫通孔１０８に対してそれぞれが等しい距離となり、かつ、中心に配置された第三の貫通孔２１０を除いた残りの隣接する第三の貫通孔２１０同士の間隔も等しくなるように四つ、の五つの第三の貫通孔２１０を設けている。
【００５１】
　なお、本実施形態では、第三の貫通孔２１０の直径Ｍが３ｍｍ、中心に位置している第三の貫通孔２１０の中心とその周りに配置されている第三の貫通孔２１０の中心との間の距離Ｎが１０ｍｍとなるように形成している。
【００５２】
　本実施形態における裾部２０２には、２０個の第二の貫通孔２０５が形成されている。
【００５３】
　そして、５つの第二の貫通孔２０５を一組として、四組の第二の貫通孔２０５が立部１０１の中心軸において点対称となる位置に配置されている。
【００５４】
　また、本実施形態では、四組に分けられている第二の貫通孔２０５の組内での第二の貫通孔２０５の中心同士の間隔Ｏが１１ｍｍとなるように形成されている他は、第一の実施形態における第二の貫通孔１０５と同様の寸法・配置で形成されている。
【００５５】
　以上のように、本実施形態に係る吹きこぼれ防止器具２００を構成したので、水位線２０９により、鍋の中に入れる水の量がわかるため、水が多すぎたり、水が少なすぎたりしてしまうことを防止することができ、また、天板２０３に設けられた第三の貫通孔２１０により、裾部２０２と鍋１２０の底面１２１（図３参照）との間に挟まれた空間において加圧されて立部２０１の内部を上端２０１ａの方向に押し出される湯が、立部２０１の内部で圧力が高くなり、第一の貫通孔１０４から勢いよく吹き出し、鍋１２０（図３参照）の外にまで飛び出てしまうことを防止することができ、さらに、本実施形態では、第一の実施形態と比べて、第二の貫通孔２０５を多く形成しているため、裾部１０２と鍋１２０の底面１２１との間に挟まれた空間内により円滑に湯が供給されるようになる。
【００５６】
　なお、本実施形態においては、水位線２０９を立部２０１の全周に設けたが、立部２０１の一部に水位線２０９を設けることも可能であり、また、突起により水位線２０９を設けることに限定されるわけではなく、例えば、立部２０１に切り込み線を入れることによって水位線２０９を形成することもできる。
【００５７】
　なお、本実施形態における立部２０１にも、図４に表されているガイド部材１０６や図５に表されているカバー１０８を設けることもできる。
【００５８】
　図８は、本考案の第三の実施形態に係る吹きこぼれ防止器具３００の上方斜視図であり、図９は、吹きこぼれ防止器具３００の縦断面図である。
【００５９】
　本実施形態に係る吹きこぼれ防止器具３００も、第一の実施形態と同様に、立部３０１と、裾部３０２と、により構成されており、立部３０１の上端３０１ａ側には、貫通孔１０４が形成されている。
【００６０】
　ここで、本実施形態においては、第一の実施形態と比べて、立部３０１が伸縮自在に形成されている点、天板部３０３に取っ手３１３が設けられている点、において相異点を有しているため、以下これらの点についてのみ説明する。
【００６１】
　本実施形態に係る立部３０１は、上端３０１ａ側に形成されている第一の部材３０１Ａと、下端３０１ｂ側に形成されている第二の部材３０１Ｂとにより構成されており、第二の部材３０１Ｂの外周に形成されている雄ネジ３１１に第一の部材３０１Ａの内周に形成されている雌ネジ３１２を螺合させることで、第一の部材３０１Ａと第二の部材３０１Ｂとは連結されている。
【００６２】
　雄ネジ３１１は、第二の部材３０１Ｂの上端３０１Ｂ−ａから形成されており、また、雌ネジ３１２は、第一の部材３０１Ａの下端３０１Ａ−ｂから設けられており、雄ネジ３１１が設けられている範囲の長さＰよりも雌ネジ３１２が設けられている範囲の長さＱを短くすることにより、雄ネジ３１１と雌ネジ３１２とが螺合している位置によって、立部３０１を伸縮自在にしている。
【００６３】
　ここで、本実施形態においては、雄ネジ３１１を設ける範囲の長さＰを３０ｍｍ、雌ネジ３１２を設ける範囲の長さＱを５ｍｍとしている。
【００６４】
　なお、第一の部材３０１Ａ及び第二の部材３０１Ｂの大きさについては、このような雄ネジ３１１と雌ネジ３１２とを形成し、立部３０１を伸縮自在にすることができる範囲で適時選択することができる設計事項であるが、本実施形態では第一の部材３０１Ａの高さＲを７０ｍｍ、第二の部材高さＳを４０ｍｍに形成している。
【００６５】
　本実施形態における天板部３０３には、取っ手３１３が取り付けられている。
【００６６】
　この取っ手３１３の形状・大きさについては、この取っ手３１３を用いて吹きこぼれ防止器具３００を持ち上げることができる範囲で適時選択することができる設計事項であるが、本実施形態では、取っ手３１３の天板部３０３への取付部分の幅Ｔが２５ｍｍ、取っ手の高さＵが３０ｍｍとなるような円弧状の取っ手３１３を取り付けている。
【００６７】
　なお、本実施形態においては、取っ手３１３についても１８−８ステンレス鋼により形成している。
【００６８】
　以上のように、本実施形態に係る吹きこぼれ防止器具３００を構成したので、鍋１２０（図３参照）に入れる水の量に応じて、立部３０１の高さを変えることが可能となり、また、取っ手３１３を持ってこの吹きこぼれ防止器具３００を鍋１２０から取り出すことができるようになる。
【００６９】
　なお、本実施形態においては、取っ手３１３を天板部３０３に取り付けたが、立部３０１に取っ手３１３を取り付けることもでき、この場合には、立部３０１の貫通孔１０４よりも上方に取り付けることが望ましい。
【００７０】
　また、本実施形態における立部３０１にも、図４に表されているガイド部材１０６や図５に表されているカバー１０８を設けることもできる。
【００７１】
　以上に記載した実施形態においては、立部１０１、２０１、３０１を載頭円錐形に形成したが、これに限定されるわけではなく、例えば、円錐形、円柱形、角柱状その他の形状に形成することも可能である。
【００７２】
　また、以上に記載した実施形態においては、裾部１０２、２０２、３０２を横断面が円形になるように形成しているが、これに限定されるわけではなく、例えば、横断面が正方形になる等その他の形状にすることもできる。
【００７３】
　さらに、以上に記載した実施形態においては、第一の貫通孔１０４を立部材１０１、２０１、３０１の周方向において、等間隔に一列に配置したが、このような配置に限定されるわけではなく、第一の貫通孔１０４を立部材１０１、２０１、３０１の周方向において、等間隔に複数列に配置することも可能であり、また、第一の貫通孔をランダムに配置することも可能である。
【００７４】
　さらに、以上に記載した実施形態においては、第一の貫通孔１０４を円形に形成したが、このような形状に限定されるわけではなく、例えば、正方形、長方形、楕円形等任意の形状を採用することができる。
【００７５】
　また、以上に記載した実施形態においては、立部材１０１、２０１、３０１と天板部１０３、２０３、３０３及び裾部１０２、２０２、３０２を一体的に形成したが、これらを別々に形成し溶接等により連結してもよい。
【００７６】
　なお、以上に記載した実施形態に係る吹きこぼれ防止器具１００、２００、３００は、全て１８−８ステンレス鋼により形成したが、これに限定されるわけではなく、ホーローやその他の金属、耐熱性を有する物質等により形成することもできる。
　図１０は、本考案の第四の実施形態に係る吹きこぼれ防止器具４００の上方斜視図である。
【００７７】
　吹きこぼれ防止器具４００は、二つの立部４０１Ａ、４０１Ｂと、裾部４０２と、により構成されている。
【００７８】
　本実施形態における立部４０１Ａ、４０１Ｂは、１８−８ステンレス鋼により形成されており、立部４０１Ａ、４０１Ｂの上端４０１Ａ−ａ、４０１Ｂ−ａがこの立部４０１Ａ、４０１Ｂと一体的に形成された天板部４０３により閉じられた直方体に形成されている。
【００７９】
　なお、天板部４０３は、立部４０１Ａ、４０１Ｂと一体的に形成されていることから、立部４０１Ａ、４０１Ｂと同様に１８−８ステンレス鋼により形成されている。
【００８０】
　立部４０１Ａ、４０１Ｂは、中空状に形成されており、立部４０１Ａ、４０１Ｂの下端４０１Ａ−ｂ、４０１Ｂ−ｂには、外側に向かって広がり、外縁４０２ａが下端４０１Ａ−ｂ、４０１Ｂ−ｂよりも下方に位置する裾部４０２が立部４０１Ａ、４０１Ｂと連続して形成されている。
【００８１】
　裾部４０２の外縁４０２ａは開口しており、立部４０１Ａ、４０１Ｂの下端４０１Ａ−ｂ、４０１Ｂ−ｂと裾部４０２の外縁４０２ａとの間に形成される空間は、立部４０１Ａ、４０１Ｂの内部空間と連通している。
【００８２】
　なお、裾部４０２についても立部４０１Ａ、４０１Ｂと一体的に形成されていることから、立部４０１Ａ、４０１Ｂと同様、１８−８ステンレス鋼により形成されている。
【００８３】
　また、裾部４０２は、二つの立部４０１Ａ、４０１Ｂの間の対称点から外縁４０２ａまでの距離が一定となるように形成されており、横断面が円形となるようにされている。
【００８４】
　立部４０１Ａ、４０１Ｂの上端４０１Ａ−ａ、４０１Ｂ−ａ側には、第一の貫通孔４０４が形成されている（立部４０１Ａの貫通孔については背面にあるため図示せず）。
【００８５】
　ここで、この第一の貫通孔４０４については、立部４０１Ａ、４０１Ｂの内部に押し上げられた湯をこの立部４０１Ａ、４０１Ｂの外部に排出することができる範囲で、適時、その形状、配置及び数を変更することができるものであるが、本実施形態においては、円形の第一の貫通孔４０４を立部４０１Ａ、４０１Ｂの対向面４０１Ａ−ｃ、４０１Ｂ−ｃに等間隔にそれぞれ３個形成している。
【００８６】
　また、裾部４０２には、第二の貫通孔４０５が形成されている。
【００８７】
　ここで、この第二の貫通孔４０５は、裾部４０２と鍋１２０（図３参照）の底面１２１（図３参照）との間に挟まれた空間に湯を供給することができる範囲で、適時その形状、配置及び数を変更することができるものであるが、本実施形態においては、円形の第二の貫通孔を裾部４０２の周方向において等間隔に４個形成している。
【００８８】
　ここで、以上に記載した、立部４０１Ａ、４０１Ｂ、裾部４０２、第一の貫通孔４０４及び第二の貫通孔４０５の寸法、配置については、裾部４０２が下方に位置し、その外縁４０２ａが鍋１２０（図３参照）の底面１２１（図３参照）に接するようにこの吹きこぼれ防止器具４００を鍋１２０（図３参照）の中に入れ、水面の高さＨ（図３参照）よりも第一の貫通孔４０４が上方に位置するように水１２２（図３参照）を入れて沸騰させた際に、裾部４０２と鍋１２０（図３参照）の底面１２１（図３参照）との間に挟まれた空間において加圧された湯が、立部４０１Ａ、４０１Ｂの内部空間を上端４０１Ａ−ａ、４０１Ｂ−ａの方向に押し出され、第一の貫通孔４０４から立部４０１Ａ、４０１Ｂの外側に排出されるとともに、第二の貫通孔４０５を介して裾部４０２と鍋１２０（図３参照）の底面１２１（図３参照）との間に挟まれた空間内に湯が供給されるという機能を果たすことができる範囲で適時選択することができる設計事項である。
【００８９】
　以上のように、本実施形態に係る吹きこぼれ防止器具４００を構成したので、二つの立部４０１Ａ、４０１Ｂから湯を外側に排出することができるようになる。
【００９０】
　なお、本実施形態係る立部４０１Ａ、４０１Ｂにおいての、図４（Ａ）に表した、ガイド部材１０６を設けることもできる。
【００９１】
　また、このようなガイド部材１０６の代わりに、図５（Ａ）に表したカバー１０８を設けることもできる。
【００９２】
　なお、以上に記載した実施形態においては、立部４０１Ａ、４０１Ｂを二つ設けたが、二つに限定されるわけではなく、３つ、４つ、その他任意の数を選択することができる。
【００９３】
　また、本実施形態における立部４０１Ａ、４０１Ｂは直方体に形成したが、このような形状に限定されるわけではなく、円錐形、載頭円錐形、円柱形その他任意の形状を採用することができる。
【００９４】
　また、本実施形態においても、第二の実施形態における水位線２０９（図６参照）を立部４０１Ａ、４０１Ｂに設けることもできる。
【００９５】
　さらに、本実施形態においても、第三の実施形態における取っ手３１１（図８参照）を設けることもでき、また、第三の実施形態と同様に、立部４０１Ａ、４０１Ｂを伸縮自在にすることもできる。
【図面の簡単な説明】
【００９６】
【図１】第一の実施形態に係る吹きこぼれ防止器具１００の上方斜視図。
【図２】図１のＸ−Ｘ線における縦断面図。
【図３】吹きこぼれ防止器具１００の使用例を表す上方斜視図。
【図４】立部１０１の変形例を表す正面図及び縦断面図。
【図５】立部１０１の変形例を表す正面図及び縦断面図。
【図６】第二の実施形態に係る吹きこぼれ防止器具２００の上方斜視図。
【図７】図６のＹ−Ｙ線における縦断面図。
【図８】第三の実施形態に係る吹きこぼれ防止器具３００の上方斜視図。
【図９】図８のＺ−Ｚ線における縦断面図。
【図１０】第四の実施形態に係る吹きこぼれ防止器具４００の上方斜視図。
【図１１】従来の煮物用吹きこぼれ防止器具５００を表す上面図。
【符号の説明】
【００９７】
１００、２００、３００、４００　吹きこぼれ防止器具
１０１、２０１、３０１、４０１　立部
１０２、２０２、３０２、４０２　裾部
１０３、２０３、３０３、４０３　天板部
１０４、４０４　第一の貫通孔
１０５、２０５、３０５、４０５　第二の貫通孔
１０６　ガイド部材
１０７　カバー
２０９　水位線
２１０　第三の貫通孔
３１３　取っ手
【図１】
0003099539.tif 000003
【図２】
0003099539.tif 000004
【図３】
0003099539.tif 000005
【図４】
0003099539.tif 000006
【図５】
0003099539.tif 000007
【図６】
0003099539.tif 000008
【図７】
0003099539.tif 000009
【図８】
0003099539.tif 000010
【図９】
0003099539.tif 000011
【図１０】
0003099539.tif 000012
【図１１】
0003099539.tif 000013